(57)【要約】      （修正有）【課題】ワイヤレス通信デバイスによる通信感度を改善するための方法を提供する。【解決手段】方法２００は、ビットのストリングを取得し２０２、連結された事前に割り振られたビットパターンのシリーズを作成するために、ビットのストリング内の各ビットを事前に割り振られたビットパターンにマッピングし２０４、シリーズに基づいて変調された信号を生成し２０６、変調された信号を送信する２０８。【選択図】図２
2018014730.tif 000002
【特許請求の範囲】
【請求項１】
ワイヤレス通信デバイスによる通信感度を改善するための方法であって、
ビットのストリングを取得することと、
連結された事前に割り振られたビットパターンのシリーズを作成するために、前記ビットのストリング内の各ビットを事前に割り振られたビットパターンにマッピングすることと、
前記シリーズに基づいて変調された信号を生成することと、
前記変調された信号を送信することと
を備える、方法。
【請求項２】
事前に割り振られたビットパターンの各々は、マスターパターンの１回または複数回の反復を備える、
請求項１に記載の方法。
【請求項３】
前記マスターパターンは、円形に閉じた位相パターンを作成する、
請求項２に記載の方法。
【請求項４】
前記マスターパターンは、第１のビット値に対して｛−１，１，１，１，−１，−１，−１，１｝を備える、
請求項２に記載の方法。
【請求項５】
前記マスターパターンは、第２のビット値に対して｛１，１，１，１，−１，−１，−１，−１｝を備える、
請求項２に記載の方法。
【請求項６】
第１の得られた位相パターンと第２の得られた位相パターンとの間のユークリッド距離は、最大化される、
請求項１に記載の方法。
【請求項７】
前記変調された信号を生成することは、定包絡線変調に基づく、
請求項１に記載の方法。
【請求項８】
通信感度を改善するための装置であって、
連結された事前に割り振られたビットパターンのシリーズを作成するために、ビットのストリング内の各ビットを事前に割り振られたビットパターンにマッピングするように構成されたパターンマッパと、
前記シリーズに基づいて変調された信号を生成するように構成された変調器と、
前記変調された信号を送信するように構成された送信機と
を備える、装置。
【請求項９】
事前に割り振られたビットパターンの各々は、マスターパターンの１回または複数回の反復を備える、
請求項８に記載の装置。
【請求項１０】
前記マスターパターンは、円形に閉じた位相パターンを作成する、
請求項９に記載の装置。
【請求項１１】
前記マスターパターンは、第１のビット値に対して｛−１，１，１，１，−１，−１，−１，１｝を備える、
請求項９に記載の装置。
【請求項１２】
前記マスターパターンは、第２のビット値に対して｛１，１，１，１，−１，−１，−１，−１｝を備える、
請求項９に記載の装置。
【請求項１３】
第１の得られた位相パターンと第２の得られた位相パターンとの間のユークリッド距離が最大化される、
請求項８に記載の装置。
【請求項１４】
前記変調された信号を生成することが定包絡線変調に基づく、
請求項８に記載の装置。
【請求項１５】
通信感度を改善するための装置であって、
連結された事前に割り振られたビットパターンのストリングを作成するために、ビットのストリング内の各ビットを事前に割り振られたビットパターンにマッピングするための手段と、
前記シリーズに基づいて変調された信号を生成するための手段と、
前記変調された信号を送信するための手段と
を備える、装置。
【請求項１６】
事前に割り振られたビットパターンの各々は、マスターパターンの１回または複数回の反復を備える、
請求項１５に記載の装置。
【請求項１７】
前記マスターパターンは、円形に閉じた位相パターンを作成する、
請求項１６に記載の装置。
【請求項１８】
前記マスターパターンは、第１のビット値に対して｛−１，１，１，１，−１，−１，−１，１｝を備える、
請求項１６に記載の装置。
【請求項１９】
前記マスターパターンは、第２のビット値に対して｛１，１，１，１，−１，−１，−１，−１｝を備える、
請求項１６に記載の装置。
【請求項２０】
第１の得られた位相パターンと第２の得られた位相パターンとの間のユークリッド距離は、最大化される、
請求項１５に記載の装置。
【請求項２１】
前記変調された信号を生成することは、定包絡線変調に基づく、
請求項１５に記載の装置。
【請求項２２】
命令を有する非一時的有形コンピュータ可読媒体を備える、通信感度を改善するためのコンピュータプログラム製品であって、前記命令は、
ビットのストリングをワイヤレス通信デバイスに取得させるためのコードと、
連結された事前に割り振られたビットパターンのシリーズを作成するために、前記ビットのストリング内の各ビットを事前に割り振られたビットパターンにマッピングすることを前記ワイヤレス通信デバイスに行わせるためのコードと、
前記シリーズに基づいて変調された前記ワイヤレス通信デバイスに生成させるためのコードと、
前記変調された信号を送信することをワイヤレス通信デバイスに行わせるためのコードと
を備える、コンピュータプログラム製品。
【請求項２３】
事前に割り振られたビットパターンの各々は、マスターパターンの１回または複数回の反復を備える、
請求項２２に記載のコンピュータプログラム製品。
【請求項２４】
前記マスターパターンは、円形に閉じた位相パターンを作成する、
請求項２３に記載のコンピュータプログラム製品。
【請求項２５】
前記マスターパターンは、第１のビット値に対して｛−１，１，１，１，−１，−１，−１，１｝を備える、
請求項２３に記載のコンピュータプログラム製品。
【請求項２６】
前記マスターパターンは、第２のビット値に対して｛１，１，１，１，−１，−１，−１，−１｝を備える、
請求項２３に記載のコンピュータプログラム製品。
【請求項２７】
第１の得られた位相パターンと第２の得られた位相パターンとの間のユークリッド距離は、最大化される、
請求項２２に記載のコンピュータプログラム製品。
【請求項２８】
前記変調された信号を生成することは、定包絡線変調に基づく、
請求項２２に記載のコンピュータプログラム製品。
【発明の詳細な説明】
【関連出願】
【０００１】
[0001]本出願は、「ＳＣＨＥＭＥ  ＦＯＲ  ＩＭＰＲＯＶＩＮＧ  ＲＥＣＥＩＶＥＲ  ＳＥＮＳＩＴＩＶＩＴＹ」と題する２０１３年１１月７日に出願された米国仮特許出願第６１／９０１，３５２号に関し、その優先権を主張する。
【技術分野】
【０００２】
[0002]本開示は、一般に通信に関する。より詳細には、本開示は、通信感度を改善するためのシステムおよび方法に関する。
【背景技術】
【０００３】
[0003]ここ数１０年間で、電子デバイスの使用は一般的になった。特に、電子技術における進歩により、ますます複雑で有用になる電子デバイスの費用が削減した。費用低減と消費者需要によって、電子デバイスが近代社会において事実上遍在するように電子デバイスの使用が急増した。電子デバイスの使用が拡大したので、電子デバイスの新しく改良された特徴の需要も拡大した。より具体的には、新機能を実行し、および／または機能をより速く、より効率的に、あるいはより高信頼に実行する電子デバイスが、しばしば求められる。
【０００４】
[0004]いくつかの電子デバイスは、他の電子デバイスと通信する。これらの電子デバイスは、電磁信号を送信および／または受信し得る。たとえば、スマートフォンは、別のデバイス（たとえば、ラップトップコンピュータ、車両内の電子コンソール、ワイヤレスヘッドセット、など）に信号を送信し、および／またはそのデバイスから信号を受信することができる。別の例では、ワイヤレスヘッドセットは、別のデバイス（たとえば、ラップトップコンピュータ、ゲームコンソール、スマートフォン、など）に信号を送信し、および／またはそのデバイスから信号を受信することができる。
【０００５】
[0005]しかしながら、ワイヤレス通信においては、特定の挑戦的課題が生じる。たとえば、いくつかのワイヤレスデバイスは、制限された範囲を有する場合がある。この制限された範囲は、いくつかの状況において接続性の問題と不満足な性能とをもたらす場合がある。この説明からわかるように、ワイヤレス通信を改善するシステムおよび方法が有益であり得る。
【発明の概要】
【０００６】
[0006]ワイヤレス通信デバイスによる通信感度を改善するための方法を説明する。方法は、ビットのストリングを取得することを含む。方法はまた、連結された事前に割り振られたビットパターンのシリーズを作成するために、ビットのストリング内の各ビットを事前に割り振られたビットパターンにマッピングすることを含む。方法は、シリーズに基づいて変調された信号を生成することをさらに含む。方法は加えて、変調された信号を送信することを含む。第１の得られた位相パターンと第２の得られた位相パターンとの間のユークリッド距離が、最大化され得る。変調された信号を生成することは、定包絡線変調に基づき得る。
【０００７】
[0007]事前に割り振られたビットパターンの各々は、マスターパターンの１回または複数回の反復を含み得る。マスターパターンは、円形に閉じた位相パターンを作成し得る。マスターパターンは、第１のビット値に対して｛−１，１，１，１，−１，−１，−１，１｝を含み得る。マスターパターンは、第２のビット値に対して｛１，１，１，１，−１，−１，−１，−１｝を含み得る。
【０００８】
[0008]また、通信感度を改善するための装置について説明する。装置は、連結された事前に割り振られたビットパターンのシリーズを作成するために、ビットのストリング内の各ビットを事前に割り振られたビットパターンにマッピングするように構成されたパターンマッパを含む。装置はまた、シリーズに基づいて変調された信号を生成するように構成された変調器を含む。装置は、変調された信号を送信するように構成された送信機をさらに含む。
【０００９】
[0009]通信感度を改善するための別の装置についても説明する。装置は、連結された事前に割り振られたビットパターンのストリングを作成するために、ビットのストリング内の各ビットを事前に割り振られたビットパターンにマッピングするための手段を含む。装置はまた、シリーズに基づいて変調された信号を生成するための手段を含む。装置は、変調された信号を送信するための手段をさらに含む。
【００１０】
[0010]通信感度を改善するためのコンピュータプログラム製品についても説明する。コンピュータプログラム製品は、命令を伴う非一時的有形コンピュータ可読媒体を含む。命令は、ビットのストリングをワイヤレス通信デバイスに取得させるためのコードを含む。命令はまた、連結された事前に割り振られたビットパターンのシリーズを作成するために、ビットのストリング内の各ビットを事前に割り振られたビットパターンにマッピングすることをワイヤレス通信デバイスに行わせるためのコードを含む。命令は、シリーズに基づいて変調された信号をワイヤレス通信デバイスに生成させるためのコードをさらに含む。命令は、変調された信号を送信することをワイヤレス通信デバイスに行わせるためのコードをさらに含む。
【図面の簡単な説明】
【００１１】
【図１】通信感度を改善するためのシステムおよび方法が実装され得る、送信通信デバイスおよび受信通信デバイスの一構成を示すブロック図。
【図２】通信感度を改善するための方法の一構成を示すフローチャート。
【図３】通信感度を改善するための別の方法を示すフローチャート。
【図４】通信感度を改善するために実装され得る構成要素の一例を示すブロック図。
【図５】Ｂｌｕｅｔｏｏｔｈ（登録商標）  Ｌｏｗ  Ｅｎｅｒｇｙ（ＬＥ）パケットフォーマットの一例を示す図。
【図６】ガウス型周波数偏移変調（ＧＦＳＫ）変調を示すグラフ。
【図７】受信通信デバイス内に含まれ得る構成要素の一例を示すブロック図。
【図８】通信感度を改善するための方法のより具体的な構成を示すフローチャート。
【図９】通信感度を改善するための別のより具体的な方法を示すフローチャート。
【図１０】通信感度を改善するためのシステムおよび方法が実装され得る、ワイヤレス通信デバイスの別のより具体的な構成を示すブロック図。
【図１１】ワイヤレス通信デバイス内に含まれ得るいくつかの構成要素を示す図。
【発明を実施するための形態】
【００１２】
[0022]本明細書で開示するシステムおよび方法は、ワイヤレス通信感度を改善するための送信（Ｔｘ）および／または受信（Ｒｘ）方式を提供し得る。ワイヤレス通信感度を改善することは、様々なセンサおよび／または接続性解決策に対していくつかのワイヤレス通信システムの範囲を増大させ得る。たとえば、本明細書で開示するシステムおよび方法は、感度を改善するために特定のＴｘ／Ｒｘフォーマットを提供する。
【００１３】
[0023]本明細書で説明するシステムおよび方法は、種々の異なる電子デバイス上に実装され得る。電子デバイスの例は、汎用または専用のコンピューティングシステム環境または構成、パーソナルコンピュータ（ＰＣ）、サーバコンピュータ、ハンドヘルドまたはラップトップデバイス、マルチプロセッサシステム、マイクロプロセッサベースシステム、プログラマブル家電製品、ネットワークＰＣ、ミニコンピュータ、メインフレームコンピュータ、上記のシステムまたはデバイスのいずれかを含む分散コンピューティング環境、などを含む。システムおよび方法はまた、電話、スマートフォン、ワイヤレスヘッドセット、携帯情報端末（ＰＤＡ）、ウルトラモバイルパーソナルコンピュータ（ＵＭＰＣ）、モバイルインターネットデバイス（ＭＩＤ）などのモバイルデバイス内に実装され得る。さらに、システムおよび方法は、バッテリー式デバイス、センサ、などによって実装され得る。以下の説明は、明快のため、および説明を容易にするために、ワイヤレス通信デバイスについて言及する。ワイヤレス通信デバイスは、上記で説明されたデバイスのうちのいずれかだけでなく、多数の他のデバイスをも備え得ることは、当業者には理解されよう。
【００１４】
[0024]Ｂｌｕｅｔｏｏｔｈワイヤレス通信規格は、一般的に、短距離にわたって固定またはモバイルのＢｌｕｅｔｏｏｔｈ対応デバイス間で通信を交換するために採用される。いくつかの構成では、本明細書で開示するシステムおよび方法は、Ｂｌｕｅｔｏｏｔｈ  Ｌｏｗ  Ｅｎｅｒｇｙ（ＬＥ）デバイスの感度を改善するために適用され得る。ＬＥは、Ｂｌｕｅｔｏｏｔｈ規格の「Ｌｏｗ  Ｅｎｅｒｇｙ」拡張を指す。ＬＥ拡張は、バッテリー式デバイス、センサアプリケーションなど、エネルギーを制約されたアプリケーションに的を絞られている。以下の説明は、ＢｌｕｅｔｏｏｔｈおよびＬＥの規格に関連する技術を使用する。とはいえ、本概念は、デジタルデータの変調および送信を伴う他の技術および規格に適用可能である。したがって、説明のうちのいくつかはＢｌｕｅｔｏｏｔｈ規格の観点から提供されるが、本明細書で開示するシステムおよび方法は、より一般的に、Ｂｌｕｅｔｏｏｔｈ規格に適合しないワイヤレス通信デバイス内に実装され得る。
【００１５】
[0025]ＬＥデバイスは、送信機、受信機、または送信機と受信機の両方を備え得る。ＬＥデバイスはまた、干渉とフェーディングとに抗するために、周波数ホッピングトランシーバを使用する場合がある。
【００１６】
[0026]本明細書で開示するシステムおよび方法のいくつかの構成は、ＬＥ感度を改善するためのＴｘおよび／またはＲｘ方式を提供し得る。たとえば、システムおよび方法は、様々なセンサおよび／または接続性解決策に対するＢｌｕｅｔｏｏｔｈまたはＬＥのＲｘシステムの範囲を増大させるために適用され得る。たとえば、ＬＥシステムの現在の感度は、１ミリワットを基準とする約−９９デシベル（ｄＢｍ）であり得る。しかしながら、目標の感度は、約−１１５ｄＢｍであり得る。したがって、感度における所望の改善は、約１５デシベル（ｄＢ）であり得る。ＬＥ規格は、０．１％ビットエラー率（ＢＥＲ）を達成する受信機入力レベルとして受信機感度レベルを定義する。以下でさらに詳細に説明するように、本明細書で説明するシステム、方法および装置は、受信機感度レベルを１５ｄＢだけ改善し得る。
【００１７】
[0027]本明細書で説明するシステムおよび方法の１つの利点は、それらが任意の既存のＬＥ方式に、最小限の変更を必要とするだけで適用され得る（たとえば、上に重ねられ得る）ことである。いくつかの構成では、本明細書で開示するシステムおよび方法は、送信機におけるビットレベルコーディング方式および／または受信機におけるジョイント復調／復号を実装することによってＬＥ受信機の感度を改善する。
【００１８】
[0028]ＬＥシステムは、２．４００〜２．４８３５ギガヘルツ（ＧＨｚ）（２４００〜２４８３．５メガヘルツ（ＭＨｚ））における無認可２．４ＧＨｚ産業科学医療用（ＩＳＭ）帯域内で動作する。ＬＥシステムの動作周波数帯域は、式（１）において示される。特に、ＬＥシステムは、式（１）に示す中心周波数（ｆ）を有する４０の無線周波数（ＲＦ）チャネルを使用する。  
ｆ＝２０４２＋ｋ×２ＭＨｚ；  ｋ＝０，．．．，３９    （１）
【００１９】
[0029]様々な構成が、同一の参照番号が機能的に類似の要素を示し得る図面を参照して記載される。一般的に記載され図面で例示されているようなシステムおよび方法は、広範な様々な別の構成でアレンジおよび設計され得る。したがって、これら図面において示されるような、いくつかの構成についての以下のより詳細な記載は、範囲を限定するものではなく、単なる代表であることが意図されている。
【００２０】
[0030]図１は、通信感度を改善するためのシステムおよび方法が実装され得る、送信通信デバイス１０２および受信通信デバイス１１８の一構成を示すブロック図である。送信通信デバイス１０２および受信通信デバイス１１８は、ワイヤレス通信システム１００内に含まれ得る。ワイヤレス通信システム１００は、音声、データなど、様々なタイプの通信コンテンツを提供するために広く展開されている。送信通信デバイス１０２および受信通信デバイス１１８は、ワイヤレス通信デバイスの例である。
【００２１】
[0031]図１は送信通信デバイス１０２および受信通信デバイス１１８を示すが、ワイヤレス通信デバイスは、送信と受信の両方が可能であり得る。したがって、単一のワイヤレス通信デバイスは、送信通信デバイス１０２および受信通信デバイス１１８内に示される構成要素のすべてを備え得る。加えて、ワイヤレス通信デバイスは、図１に示されていない他の構成要素を備え得る。図１のワイヤレス通信デバイスが説明を容易にするために簡略化されていることは、当業者には理解されよう。
【００２２】
[0032]ワイヤレスシステムにおける通信は、ワイヤレスリンクを介した送信によって達成され得る。そのようなワイヤレスリンクは、単入力単出力（ＳＩＳＯ）、多入力単出力（ＭＩＳＯ）、または多入力多出力（ＭＩＭＯ）のシステムを介して確立され得る。ＭＩＭＯシステムは、それぞれ、データ送信のための複数（ＮT）個の送信アンテナと複数（ＮR）個の受信アンテナとを装備した、（１つまたは複数の）送信機と（１つまたは複数の）受信機とを含む。いくつかの構成では、ワイヤレス通信システム１００はＭＩＭＯを利用し得る。ＭＩＭＯシステムは時分割複信（ＴＤＤ）システムおよび／または周波数分割複信（ＦＤＤ）システムをサポートすることができる。
【００２３】
[0033]いくつかの構成では、ワイヤレス通信システム１００は、１つまたは複数の規格に従って動作し得る。これらの規格の例は、Ｂｌｕｅｔｏｏｔｈ（たとえば、電気電子技術者協会（ＩＥＥＥ）８０２．１５．１）、ＩＥＥＥ８０２．１１（ＷｉＦｉ（登録商標））、ＩＥＥＥ８０２．１６（ワールドワイドインターオペラビリティフォーマイクロウェーブアクセス（ＷｉＭＡＸ（登録商標））、モバイル通信用グローバルシステム（ＧＳＭ（登録商標））、ユニバーサルモバイル通信システム（ＵＭＴＳ）、ＣＤＭＡ２０００、ロングタームエボリューション（ＬＴＥ（登録商標））、などを含む。したがって、送信通信デバイス１０２は、いくつかの構成では、ＬＥなどの通信プロトコルを使用して受信通信デバイス１１８と通信し得る。
【００２４】
[0034]いくつかの構成では、ワイヤレス通信システム１００は、利用可能なシステムリソース（たとえば、帯域幅および送信電力）を共有することによって複数のワイヤレス通信デバイスとの通信をサポートすることが可能な多元接続システムである可能性がある。そのような多元接続システムの例は、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、エボリューションデータオプティマイズド（ＥＶ−ＤＯ：evolution-data optimized）、シングルキャリア周波数分割多元接続（ＳＣ−ＦＤＭＡ）システム、汎用パケット無線サービス（ＧＰＲＳ：General Packet Radio Service）接続ネットワークシステム、第３世代パートナシッププロジェクト（３ＧＰＰ（登録商標））ロングタームエボリューション（ＬＴＥ）システム、および空間分割多元接続（ＳＤＭＡ）システムを含む。
【００２５】
[0035]ＬＴＥおよびＵＭＴＳでは、ワイヤレス通信デバイスは、「ユーザ機器」（ＵＥ）と呼ばれることがある。３ＧＰＰモバイル通信用グローバルシステム（ＧＳＭ）では、ワイヤレス通信デバイスは、「移動局」（ＭＳ）と呼ばれることがある。送信通信デバイス１０２および／または受信通信デバイス１１８は、ＵＥ、ＭＳ、端末、アクセス端末、加入者ユニット、局などと呼ばれることもあり、および／またはそれらの機能の一部または全部を含み得る。送信通信デバイス１０２および／または受信通信デバイス１１８の例は、セルラーフォン、スマートフォン、ワイヤレスヘッドセット、ワイヤレススピーカー、携帯情報端末（ＰＤＡ）、ワイヤレスデバイス、電子自動車コンソール、ゲーミングシステム、ワイヤレスコントローラ、センサ、ワイヤレスモデム、ハンドヘルドデバイス、ラップトップコンピュータ、セッション初期化プロトコル（ＳＩＰ）電話、ワイヤレスローカルループ（ＷＬＬ）局、などを含む。
【００２６】
[0036]送信通信デバイス１０２および／または受信通信デバイス１１８は、図１に示す１つまたは複数の構成要素を含み得る。たとえば、送信通信デバイス１０２は、パターンマッパ１０６、変調器１１０、送信機１１４、および／または１つまたは複数のアンテナ１１６ａ〜ｎを備え得る。追加または代替として、受信通信デバイス１１８は、１つまたは複数のアンテナ１２０ａ〜ｎ、受信機１２２、および／またはジョイント復調器／デマッパ１２６を備え得る。より少ないかまたはより多い構成要素が、送信通信デバイス１０２および／または受信通信デバイス１１８内に含まれて良いことに留意されたい。１つまたは複数の構成要素の各々は、ハードウェアまたはハードウェアとソフトウェアの組合せで実装され得る。たとえば、パターンマッパ１０６は、ハードウェア（たとえば、回路）、またはハードウェアとソフトウェアとの組合せ（たとえば、命令を有するプロセッサ）で実装され得る。
【００２７】
[0037]図の中の線および／または矢印は、構成要素間の結合を示し得る。たとえば、パターンマッパ１０６は変調器１１０に結合され、変調器１１０は送信機１１４に結合され、送信機１１４は１つまたは複数のアンテナ１１６ａ〜ｎに結合され得る。本明細書で使用する「結合」という用語およびそれの変形態は、直接接続または間接接続を示し得る。たとえば、パターンマッパ１０６は、変調器１１０に（介在構成要素なしに）直接接続されてよく、または変調器１１０に（１つまたは複数の介在構成要素を介して）間接的に接続されてもよい。
【００２８】
[0038]送信通信デバイス１０２は、ビット１０４のストリングを取得し得る。ビット１０４のストリングの各々は、２進数値（たとえば、１または０、オンまたはオフ、など）を有し得る。ビット１０４のストリングは、送信のためのデータを表し得る。たとえば、ビット１０４のストリングは、ペイロードおよび／または制御の情報を表し得る。ビット１０４のストリングによって表され得る情報の例は、音声呼出、インターネットトラフィック、テキストメッセージ、エラー検出コード、エラー訂正コード、再送信、電力制御ビット、アクセス要求、などを含み得る。ビット１０４のストリングは、送信通信デバイス１０２において、および／またはリモートデバイスから発生し得る。ビット１０４のストリングを取得することは、ビット１０４のストリングを生成すること、および／またはビット１０４のストリングを受信することを含み得る。たとえば、送信通信デバイス１０２は、ビット１０４のストリングを取得するために、音声信号を捕捉、デジタル化、および／または符号化し得る。別の例では、送信通信デバイス１０２は、ユーザからテキスト入力を受信し得、送信通信デバイス１０２は、そのテキスト入力をビット１０４のストリングにフォーマットし得る。さらに別の例では、送信通信デバイス１０２は、リモートデバイスから（たとえば、ワイヤードまたはワイヤレス送信を介して）ビット１０４のストリングを受信し得る。
【００２９】
[0039]送信通信デバイス１０２は、ビット１０４のストリングをパターンマッパ１０６に供給し得る。パターンマッパ１０６は、送信のためのデータを表すビット１０４のストリングを受信し得る。パターンマッパ１０６は、連結された事前に割り振られたビットパターンのシリーズ１０８を作成するために、ビット１０４のストリング内の各ビットを事前に割り振られたビットパターンにマッピングし得る。たとえば、パターンマッパ１０６は、ビット１０４のストリング内の各ビット（たとえば、２進数値）によって示される各ビットに対して事前に割り振られたビットパターンを作成（たとえば、生成）し得る。事前に割り振られたビットパターンの各々は、２進数値の所定のパターンを有するビットのセットであり得る。事前に割り振られたビットパターン（たとえば、ビットのセット）の各々は、所定のサイズ（たとえば、長さ）を有してよく、または所定のビット数を含んでよい。ビット１０４のストリング内の各ビットをマッピングすることは、ビットが第１の２進数値（たとえば、０）を有する場合に第１の事前に割り振られたビットパターンを選択することと、ビットが第２の２進数値（たとえば、１）を有する場合に第２の事前に割り振られたビットパターンを選択することとを含み得る。
【００３０】
[0040]パターンマッパ１０６は、連結された事前に割り振られたビットパターンのシリーズ１０８を作成するために、ビット１０４のストリング内の各ビットに対して選択された事前に割り振られたビットパターンを連結し得る。いくつかの構成では、事前に割り振られたビットパターンは、ビット１０４のストリング内の対応するビットの順序と同じ順序で連結され得る。追加または代替として、シリーズ１０８内の事前に割り振られたビットパターン（たとえば、ビットのセット）の数は、ビット１０４のストリング内のビット数と同じであり得る。
【００３１】
[0041]いくつかの構成では、パターンマッパ１０６は、ビット１０４のストリング内の（０または１の２進数値を有する）各ビットを式（２）に示す事前に割り振られたビットパターンにマッピングし得る。
【００３２】
【数１】
2018014730.tif 000003
【００３３】
式（２）では、
【００３４】
【数２】
2018014730.tif 000004
【００３５】
は第１の事前に割り振られたビットパターンであり、
【００３６】
【数３】
2018014730.tif 000005
【００３７】
は第２の事前に割り振られたビットパターンであり、ここで、Ｎは事前に割り振られたビットパターンのサイズ（たとえば、長さ）であり、
【００３８】
【数４】
2018014730.tif 000006
【００３９】
および０≦ｉ≦Ｎ−１である。一例では、
【００４０】
【数５】
2018014730.tif 000007
【００４１】
[0042]いくつかの構成では、パターンマッパ１０６は、異なるサイズの、および／または複数のレートによる、事前に割り振られたビットパターンを用いてマッピングを実行し得る。異なるサイズの、および／または複数のレートによる、事前に割り振られたビットパターンを利用することができるパターンマッパ１０６は、可変レートパターンマッパと呼ばれることがある。
【００４２】
[0043]いくつかの実装形態では、パターンマッパ１０６は、１レート当たり２つだけの事前に割り振られたビットパターンのセットを利用し得る。たとえば、第１のレートに対して、パターンマッパ１０６は、ビット１０４のストリング内の各ビットに対して２つの事前に割り振られたビットパターン（たとえば、「０」のビットに対応する第１の事前に割り振られたビットパターンと「１」のビットに対応する第２の事前に割り振られたビットパターンと）の間でのみ選択可能である。事前に割り振られたビットパターンの各セット内で、事前に割り振られたビットパターンの各々は、同じサイズ（たとえば、Ｎ）を有し得る。しかしながら、事前に割り振られたビットパターンの異なるセットは、異なるサイズを有し得る。たとえば、事前に割り振られたビットパターンの第１のセットは、各々がＮ＝８のサイズを有する２つの事前に割り振られたビットパターンを含み得る。事前に割り振られたビットパターンの第２のセットは、各々がＮ＝１６のサイズを有する２つの事前に割り振られたビットパターンを含み得る。
【００４３】
[0044]いくつかの構成では、送信通信デバイス１０２（たとえば、パターンマッパ１０６）は、事前に割り振られたビットパターンのサイズによって感度とデータレートとを制御し得る。たとえば、事前に割り振られたビットパターンのサイズ（たとえば、Ｎ）は、受信機感度とより高いデータレートとのトレードオフを図るために調整され得る。特に、事前に割り振られたビットパターンのサイズ（たとえば、Ｎ）を選択することは、式（３）に示すように、通信感度と有効ビットレートＲeffとのトレードオフを図ることができる。
【００４４】
【数６】
2018014730.tif 000008
【００４５】
式（３）では、Ｒeffは有効ビットレートであり、Ｒ0はベースデータレートであり、Ｎは事前に割り振られたビットパターンのサイズである。一例では、ＬＥのベースデータレートは、ＲLE＝Ｒ0＝１メガビット毎秒（Ｍｂｐｓ）である。したがって、Ｎ＝８の事前に割り振られたビットパターンのサイズが選択された場合、Ｒeff＝１／８Ｍｂｐｓである。この説明からわかるように、事前に割り振られたビットパターンのサイズＮが増加するにつれて、感度が高くなる一方で、有効ビットレートＲeffが低下する。いくつかの構成では、送信通信デバイス１０２は、レート情報（たとえば、事前に割り振られたビットパターンのサイズＮ）を受信通信デバイス１１８に送ることができる。
【００４６】
[0045]いくつかの構成では、事前に割り振られたビットパターンは、マスターパターン（ＭＰ）を反復することによって形成され得る。マスターパターンは、より長い事前に割り振られたビットパターンを生成するために１回または複数回反復され得るベースの事前に割り振られたビットパターンであり得る。たとえば、Ｎ＝８（１反復）、Ｎ＝１６（２反復）、Ｎ＝２４（３反復）、Ｎ＝３２（４反復）、などを有する事前に割り振られたビットパターンを形成するために、Ｎ＝８を有するマスターパターンが１回または複数回反復され得る。複数の反復されたマスターパターンは、事前に割り振られたビットパターンを形成するために連結され得る。マスターパターンは、いくつかの性質を有し得る。マスターパターンは、（たとえば、複数回反復されるときでも）変調された信号１１２の位相において効率的変化を生じ得ない。特に、位相における効率的変化はＰeffchange＝Ｐbefore−Ｐafterであり、ここで、Ｐbeforeはパターンが始まる前の信号（たとえば、変調された信号１１２）の位相であり、Ｐafterはパターンが終了した後の信号（たとえば、変調された信号１１２）の位相である。言い換えれば、変調された信号１１２（たとえば、ＬＥ信号）の初期位相およびマスターパターンの後の変調された信号１１２の位相は、同じになる。他のサイズ（たとえば、長さ）の事前に割り振られたビットパターンはマスターパターンを反復することによって形成され得るので、すべての事前に割り振られたビットパターンは、同じ性質を共有することになる。
【００４７】
[0046]いくつかの例では、第１のマスターパターンは、第１のビット値（たとえば、０）に対してＭＰ0＝｛−１，１，１，１，−１，−１，−１，１｝を備え得、第２のマスターパターンは、第２のビット値（たとえば、１）に対してＭＰ1＝｛１，１，１，１，−１，−１，−１，−１｝を備え得る。これらのマスターパターンに基づいて、送信通信デバイス１０２は、式（４）〜（５）に示すＮ＝８、式（６）〜（７）に示すＮ＝１６、式（８）〜（９）に示すＮ＝２４、および式（１０）〜（１１）に示すＮ＝３２に対して以下の事前に割り振られたビットパターンを使用し得る。
【００４８】
【数７】
2018014730.tif 000009
【００４９】
[0047]したがって、パターンマッパ１０６は、連結された事前に割り振られたビットパターンのシリーズ１０８を作成するために、ビット１０４のストリング内の各ビットを事前に割り振られたビットパターンにマッピングし得る。このマッピングは、変調前に発生し得る。この説明からわかるように、マッピングは、ビットレート（たとえば、スループット）を変化させる場合がある。パターンマッパ１０６は、２進数ビットのストリングと同じ順序で、事前に割り振られたビットパターンを連結し得る。連結された事前に割り振られたビットパターンのシリーズ１０８は、変調器１１０に供給され得る。
【００５０】
[0048]変調器１１０は、シリーズ１０８に基づいて変調された信号１１２を生成し得る。変調器は、連結された位相パターン（たとえば、事前に割り振られた位相パターン）のシリーズを生成するために、連結された事前に割り振られたビットパターンのシリーズ１０８を使用し得る。いくつかの構成では、変調器１１０によって実行される変調は、定包絡線変調であり得る。言い換えれば、変調された信号１１２を生成することは、定包絡線変調に基づき得る。定包絡線変調（たとえば、周波数偏移変調（ＦＳＫ）、ガウス型周波数偏移変調（ＧＦＳＫ）、位相偏移変調（ＰＳＫ）、など）は、信号の振幅を変調しない変調であり得る。定包絡線変調の１つの特定の例は、ＧＦＳＫ変調である。たとえば、変調器１１０は、連結された位相パターンのシリーズ１０８から変調された信号１１２を生成するためにＧＦＳＫ変調を使用し得る。ＧＦＳＫ変調に関するさらなる詳細は、図６に関して与えられる。いくつかの構成では、変調器１１０は、０．５の変調指数（たとえば、ｈ＝０．５）を利用し得る。
【００５１】
[0049]マスターパターンは、変調されると、円形に閉じた位相パターンを作成し得る。円形に閉じた位相パターンは、初期位相（事前に割り振られたビットパターンを変調する前）と最終位相（事前に割り振られたビットパターンを変調した後）とが同じである位相パターンであり得る。変調されたマスターパターンが円形に閉じた位相パターンを作成する場合、マスターパターンの１回または複数回の反復に基づいて生成された位相パターンは、同じく、円形に閉じた位相パターンとなる。たとえば、円形に閉じた位相は、送信パターンを作成するために、ｈ＝０．５の変調指数を有するマスターパターンを利用するという１つの利点であり得る。
【００５２】
[0050]いくつかの構成では、（２進数値０および２進数値１に対する）マスターパターンは、さらに、得られた位相パターンの間のユークリッド距離を最大化するように選択され得る。マスターパターンに基づいて生成された２つの位相パターンの間のユークリッド距離は、式（１２）に示すように計算され得る。
【００５３】
【数８】
2018014730.tif 000010
【００５４】
式（１２）では、Φ（ｎ）は、事前に割り振られたビットパターンの（指数ｎを有する）各ビットを変調された信号１１２の得られた位相にマッピングする関数である。
【００５５】
[0051]一例では、送信通信デバイス１０２は、式（１３）に示すＮ＝８を有する以下のマスターパターンを使用し得る。
【００５６】
【数９】
2018014730.tif 000011
【００５７】
変調器１１０は、φの初期位相とｈ＝０．５→π／２の変調指数とを用いてこれらのマスターパターンを変調し得る。したがって、得られた位相パターンは、式（１４）に示す円形に閉じた位相パターンであり得る。
【００５８】
【数１０】
2018014730.tif 000012
【００５９】
[0052]これらのマスターパターンはまた、得られた位相パターンの間のユークリッド距離を最大化し得る。たとえば、得られた位相パターンの間のユークリッド距離は、式（１５）に示すように計算され得る。
【００６０】
【数１１】
2018014730.tif 000013
【００６１】
したがって、Ｎ＝８、Ｎ＝１６、Ｎ＝２４、およびＮ＝３２に対して、得られた位相パターンの間のユークリッド距離は、それぞれ、７、１４、２１および２８であり得る。
【００６２】
[0053]変調器１１０によって生成された変調された信号１１２は、送信機１１４に供給され得る。いくつかの構成では、変調された信号１１２は、同相（Ｉ）成分と直交（Ｑ）成分（たとえば、成分信号）を含み得る。したがって、変調された信号１１２は、いくつかの例では、同相／直交（ＩＱ）波形であり得る。
【００６３】
[0054]送信機１１４は、変調された信号１１２を受信通信デバイス１１８に送信し得る。たとえば、送信機１１４は、１つまたは複数のアンテナ１１６ａ〜ｎに供給され得る変調された信号１１２をフィルタリングおよび／または増幅し得る。１つまたは複数のアンテナ１１６ａ〜ｎは、変調された信号１１２を放射し得る。
【００６４】
[0055]受信通信デバイス１１８上の受信機１２２は、１つまたは複数のアンテナ１２０ａ〜ｎを介して送信通信デバイス１０２によって送信された信号を受信し得る。受信機１２２は、受信された変調された信号１２４を取得し得る。たとえば、受信機１２２は、受信された変調された信号１２４を作成するために、送信通信デバイス１０２から受信された信号を（１つまたは複数のアンテナ１２０ａ〜ｎを介して）受信し、増幅および／またはフィルタリングすることができる。受信された変調された信号１２４は、Ｉ成分およびＱ成分（たとえば、成分信号）を含み得る。したがって、受信された変調された信号１２４は、いくつかの例では、ＩＱ波形であり得る。受信機１２２は、受信された変調された信号１２４をジョイント復調器／デマッパ１２６に供給し得る。
【００６５】
[0056]ジョイント復調器／デマッパ１２６は、受信された変調された信号１２４（たとえば、ＩＱ波形）を受信し得る。ジョイント復調器／デマッパ１２６は、受信された変調された信号１２４に基づいて受信されたビット１２８のストリングを決定し得る。たとえば、ジョイント復調器／デマッパ１２６は、事前に割り振られたビットパターンに基づいておよび／または（たとえば、事前に割り振られたビットパターンに対応する）事前に割り振られた位相パターンに基づいて、ならびに受信された変調された信号１２４に基づいて、受信されたビット１２８のストリングを決定し得る。たとえば、ジョイント復調器／デマッパ１２６は、受信されたビット１２８のストリングを生成するために、相関された位相入力のシリーズをビットのシリーズにマッピングし得る。
【００６６】
[0057]いくつかの構成では、ジョイント復調器／デマッパ１２６は、受信されたビット１２８のストリングを決定するために、以下の手順のうちの１つまたは複数を実行し得る。ジョイント復調器／デマッパ１２６は、受信された変調された信号１２４（たとえば、ＩＱ波形）を位相入力に変換し得る。次いで、ジョイント復調器／デマッパ１２６は、位相入力を（たとえば、２進数の１および２進数の０に対する事前に割り振られたビットパターンに対応する）事前に割り振られた位相パターンと相関させ得る。これは、仮説検定と呼ばれることがある。たとえば、ジョイント復調器／デマッパ１２６は、位相入力を、（たとえば、第１の事前に割り振られたビットパターンに対応する）２進数の０に対する第１の事前に割り振られた位相パターンと、および（たとえば、第２の事前に割り振られたビットパターンに対応する）２進数の１に対する第２の事前に割り振られた位相パターンと比較し得る。いくつかの構成では、この相関を実行することは、レート情報（たとえば、事前に割り振られたビットパターンのサイズＮ）に基づき得る。たとえば、ジョイント復調器／デマッパ１２６は、パターンサイズＮを有する事前に割り振られたビットパターンに対応する事前に割り振られた位相パターンを利用し得る。
【００６７】
[0058]ジョイント復調器／デマッパ１２６は、受信されたビット１２８のストリングを決定するために相関を比較し得る。たとえば、ジョイント復調器／デマッパ１２６は、（たとえば、第１の事前に割り振られたビットパターンに対応する）２進数の０に対する第１の事前に割り振られた位相パターンが、（たとえば、第２の事前に割り振られたビットパターンに対応する）２進数の１に対する第２の事前に割り振られた位相パターンより高い相関を有する場合、０の値を有するビットを生成し得る。反対に、ジョイント復調器／デマッパ１２６は、（たとえば、第２の事前に割り振られたビットパターンに対応する）２進数の１に対する第２の事前に割り振られた位相パターンが、（たとえば、第１の事前に割り振られたビットパターンに対応する）２進数の０に対する第１の事前に割り振られた位相パターンより高い相関を有する場合、１の値を有するビットを生成し得る。したがって、全位相入力を、２進数の１および２進数の０に対する事前に割り振られた位相パターンと相関させることによって、ジョイント復調器／デマッパは、受信されたビット１２８（たとえば、２進数ビット）のストリングを生成し得る。この受信されたビット１２８のストリングは、送信通信デバイス１０２上のビット１０４のストリングとほぼ一致し得る。
【００６８】
[0059]いくつかの構成では、事前に割り振られた位相パターンはマスターパターンの反復（たとえば、整数倍）に基づいて生成され得るので、ジョイント復調器／デマッパ１２６は、モジュール式（modular）であり得る。言い換えれば、１つのマスターパターンから生成された位相パターンに対するジョイント復調器／デマッパ１２６は、（たとえば、サイズＮの事前に割り振られたビットパターンに対応する）サイズ（たとえば、長さ）Ｎの任意の事前に割り振られた位相パターンに対するジョイント復調器／デマッパ１２６の基底（basis）を形成し得る。
【００６９】
[0060]図２は、通信感度を改善するための方法２００の一構成を示すフローチャートである。方法２００は、送信通信デバイス１０２によって実行され得る。送信通信デバイス１０２は、ビット１０４のストリングを取得し得る２０２。これは、図１に関して上記で説明したように実行され得る。たとえば、送信通信デバイス１０２は、ビット１０４のストリングを生成し得、および／またはビット１０４のストリングを受信し得る。
【００７０】
[0061]送信通信デバイス１０２は、連結された事前に割り振られたビットパターンのシリーズ１０８を作成するために、ビット１０４のストリング内の各ビットを事前に割り振られたビットパターンにマッピングし得る２０４。これは、図１に関して上記で説明したように実行され得る。たとえば、送信通信デバイス１０２は、（ビット１０４のストリング内の）ビットが第１の２進数値（たとえば、０）を有する場合に第１の事前に割り振られたビットパターンを選択し得、ビットが第２の２進数値（たとえば、１）を有する場合に第２の事前に割り振られたビットパターンを選択し得る。マッピング２０４は、式（２）に示すように実行され得る。事前に割り振られたビットパターンの例は、式（４）〜（１１）において上記で与えられている。いくつかの構成では、事前に割り振られたビットパターンは、上記で説明したように、マスターパターンの１回または複数回の反復に基づき得る。追加または代替として、事前に割り振られたビットパターンは、円形に閉じた位相パターンを可能にし得る。図１に関して上記で説明したように、送信通信デバイス１０２は、連結された事前に割り振られたビットパターンのシリーズ１０８を作成するために、ビット１０４のストリング内の各ビットに対して選択された事前に割り振られたビットパターンを連結し得る。いくつかの構成では、送信通信デバイス１０２は、レート情報（たとえば、事前に割り振られたビットパターンのサイズＮ）を受信通信デバイス１１８に送ることができる。
【００７１】
[0062]送信通信デバイス１０２は、シリーズ１０８に基づいて変調された信号１１２を生成し得る２０６。これは、図１に関して上記で説明したように実行され得る。たとえば、送信通信デバイス１０２は、定包絡線変調（たとえば、ＧＦＳＫ変調）を使用してシリーズ１０８を変調し得る。いくつかの構成では、ｈ＝０．５の変調指数が利用され得る。
【００７２】
[0063]送信通信デバイス１０２は、変調された信号１１２を送信し得る２０８。これは、図１に関して上記で説明したように実行され得る。たとえば、送信通信デバイス１０２は、１つまたは複数のアンテナ１１６ａ〜ｎを使用して、変調された信号１１２をフィルタリング、増幅、および／または放射し得る。
【００７３】
[0064]図３は、通信感度を改善するための別の方法３００を示すフローチャートである。方法３００は、受信通信デバイス１１８によって実行され得る。受信通信デバイス１１８は、受信された変調された信号１２４を取得し得る３０２。これは、図１に関して上記で説明したように達成され得る。たとえば、受信通信デバイス１１８は、受信された変調された信号１２４を作成するために、信号を受信（１つまたは複数のアンテナ１２０ａ〜ｎを介して）、増幅、および／またはフィルタリングすることができる。いくつかの構成では、受信通信デバイス１１８は、図１に関して上記で説明したようにレート情報を取得し得る。
【００７４】
[0065]受信通信デバイス１１８は、受信された変調された信号１２４の位相入力と事前に割り振られた位相パターンとを相関させ得る３０４。これは、図１に関して上記で説明したように達成され得る。たとえば、受信通信デバイス１１８は、位相入力を、２進数の０に対する第１の事前に割り振られた位相パターンと、および２進数の１に対する第２の事前に割り振られた位相パターンと比較し得る。位相入力を第１の事前に割り振られた位相パターンと相関させることは、第１の相関を作成し得る。加えて、位相入力を第２の事前に割り振られた位相パターンと相関させることは、第２の相関を作成し得る。いくつかの構成では、この相関を実行すること３０４は、レート情報（たとえば、事前に割り振られたビットパターンのサイズＮ）に基づき得る。たとえば、受信通信デバイス１１８は、パターンサイズＮを有する事前に割り振られたビットパターンに対応する事前に割り振られた位相パターンを利用し得る。
【００７５】
[0066]受信通信デバイス１１８は、受信されたビット１２８のストリングを決定するために相関を比較し得る３０６。これは、図１に関して上記で説明したように実行され得る。たとえば、受信通信デバイス１１８は、２進数の０に対する第１の事前に割り振られた位相パターンが、２進数の１に対する第２の事前に割り振られた位相パターンより高い、位相入力との相関を有する場合、０の値を有するビットを生成し得る。反対に、受信通信デバイス１１８は、２進数の１に対する第２の事前に割り振られた位相パターンが、２進数の０に対する第１の事前に割り振られた位相パターンより高い、位相入力との相関を有する場合、１の値を有するビットを生成し得る。
【００７６】
[0067]図４は、通信感度を改善するために実装され得る構成要素の一例を示すブロック図である。特に、図４は、可変レートパターンマッパ４０６と、変調器４１０と、ジョイント復調器／デマッパ４２６とを示す。可変レートパターンマッパ４０６は、図１に関して説明したパターンマッパ１０６の一例であり得る。変調器４１０は、図１に関して説明した変調器１１０の一例であり得る。ジョイント復調器／デマッパ４２６は、図１に関して説明したジョイント復調器／デマッパ１２６の一例であり得る。いくつかの構成では、可変レートパターンマッパ４０６、変調器４１０、および／またはジョイント復調器／デマッパ４２６は、ＬＥシステム内で（たとえば、１つまたは複数のＬＥデバイス内で）実装され得る。
【００７７】
[0068]２進数データ（たとえば、０または１）を備えるビット４０４のストリング（たとえば、Ｔｘデータ）は、Ｒビット毎秒（ｂｐｓ）のレートにおいて可変レートパターンマッパ４０６に供給され得る。一般に、可変レートパターンマッパ４０６は、ビット４０４のストリング（たとえば、Ｔｘデータ）の各ビットを唯一の事前に割り振られたビットパターンにマッピングする。これは、図１〜図２のうちの１つまたは複数に関して上で説明したように実行され得る。たとえば、可変レートパターンマッパ４０６は、連結された事前に割り振られたビットパターンのシリーズ４０８を作成するために、ビット４０４のストリングの各ビットを長さＮの事前に割り振られたビットパターンにマッピングし得る。ビット４０４のストリングをシリーズ４０８にマッピングすることは、（たとえば、Ｔｘデータの）ビットレートを変化させる場合がある。特に、連結された事前に割り振られたビットパターンのシリーズ４０８は、ＮＲｂｐｓのビットレートを有し得る。上記で説明したように、事前に割り振られたビットパターンは、マスターパターンの１回または複数回の反復から生成され得る。変調器４１０（たとえば、ＬＥ変調器）は、連結された事前に割り振られたビットパターンのシリーズ４０８を受信して、連結された位相パターン（たとえば、事前に割り振られた位相パターン）のシリーズを作成することができる。
【００７８】
[0069]シリーズ４０８に基づいて、変調器４１０は、変調された信号４１２を生成し得る。上記で説明したように、変調された信号４１２は、ＩＱ波形であり得る。変調器４１０は、ＩＱ波形をジョイント復調器／デマッパ４２６に送ることができる。
【００７９】
[0070]いくつかの構成では、可変レートパターンマッパ４０６は、レート情報４３０をジョイント復調器／デマッパ４２６に供給し得る。たとえば、可変レートパターンマッパ４０６は、事前に割り振られたビットパターンのサイズ（たとえば、Ｎ）を指定し得る。いくつかの構成では、レート情報４３０は、（たとえば、制御情報として）ビット４０４のストリング内に含まれ得る。代替として、レート情報４３０は、副次的情報として送られてよく、ビット４０４のストリング内に含まれなくてもよい。他の構成では、受信通信デバイス（たとえば、ジョイント復調器／デマッパ４２６）は、レート情報４３０を暗黙的に決定し得る。たとえば、受信通信デバイスは、レート情報４３０を決定するために変調された信号４１２を検査し得る。
【００８０】
[0071]ジョイント復調器／デマッパ４２６は、変調された信号４１２（たとえば、ＩＱ波形）を位相入力に変換するために、レート情報（たとえば、Ｎ）を利用し得る。ジョイント復調器／デマッパ４２６はまた、Ｒビット毎秒のレートにおける２進数データ（情報）を備える受信されたビット４２８（たとえば、Ｒｘデータ）を生成するために、位相入力と事前に割り振られた位相パターンとを相関させ得る。
【００８１】
[0072]図５は、Ｂｌｕｅｔｏｏｔｈ  Ｌｏｗ  Ｅｎｅｒｇｙ（ＬＥ）パケットフォーマット５００の一例を示す図である。上記で説明したように、本明細書で開示するシステムおよび方法のいくつかの構成は、ＬＥのコンテキストにおいて実装され得る。たとえば、図１に関して説明したビット１０４のストリングは、図５に関して説明したパケットフォーマット５００に従って配列され得る。
【００８２】
[0073]ＬＥパケットは、図５に示す４つのフィールドを備える。パケットは、プリアンブル５３２と、アクセスアドレス５３４と、プロトコルデータユニット（ＰＤＵ）５３６と、巡回冗長検査（ＣＲＣ）５３８とを含む。プリアンブル５３２は、最下位ビット（ＬＳＢ）において始まり、１オクテットの長さを有する。アクセスアドレス５３４は、プリアンブル５３２に続き、４オクテットの長さである。ＰＤＵ５３６は、アクセスアドレス５３４に続き、２から３９オクテットの長さである。ＣＲＣ５３８は、ＰＤＵ５３６に続く。ＣＲＣ５３８は、３オクテットの長さであり、最上位ビット（ＭＳＢ）において終端する。
【００８３】
[0074]図６は、ガウス型周波数偏移変調（ＧＦＳＫ）変調を示すグラフである。上記で説明したように、送信通信デバイス１０２（たとえば、変調器１１０）は、いくつかの構成においてＧＦＳＫ変調を利用し得る。たとえば、ＬＥシステムは、帯域幅ビット周期積ＢＴ＝０．５（ここで、Ｂは帯域幅であり、Ｔはビット周期である）を有するガウス型周波数偏移変調（ＧＦＳＫ）変調を使用する。変調指数は、０．４５と０．５５との間である。いくつかの構成では、正の周波数偏差は２進数の１を表し、負の周波数偏差は２進数のゼロを表す。
【００８４】
[0075]いくつかのＧＦＳＫパラメータは、図６に関して提供される。特に、図６に示すグラフは、時間（たとえば、秒）に対する水平軸と周波数（たとえば、ヘルツ（Ｈｚ））に対する垂直軸とを含む。図６に示すように、波形は、送信周波数Ｆｔ  ６５０に中心を置くことができる。偏差周波数ｆｄは、定義されるとおりである。上記で説明したように、周波数における偏差は、２進数の０または２進数の１を示し得る。たとえば、Ｆｔ＋ｆｄ  ６４０への正の周波数偏差は２進数の１を表し、一方、Ｆｔ−ｆｄ  ６４２への負の周波数偏差は２進数の０を表すことができる。波形がＦｔ＋ｆｄ  ６４０と出会うポイントはＦｍｉｎ＋  ６４４で示され、波形がＦｔ−ｆｄ  ６４２と出会うポイントはＦｍｉｎ−  ６４６で示される。同じく、理想的なゼロ交差６４６に対する時間が定義され、時間の範囲がゼロ交差エラー６４８に対して定義される。
【００８５】
[0076]図７は、受信通信デバイス内に含まれ得る構成要素の一例を示すブロック図である。特に、図７は、ダウンコンバータ７５４と、逆正接モジュール７５８と、相関器７６２ａ〜ｂと、比較器７６６とを示す。いくつかの構成では、これらの図示の構成要素のうちの１つまたは複数は、図１に関して説明した受信通信デバイス１１８内に含まれ得る。いくつかの構成では、たとえば、図示の構成要素のうちの１つまたは複数は、受信機１２２、ジョイント復調器／デマッパ１２６、または両方の中に含まれ得る。図７に関して説明した関数または手順のうちの１つまたは複数は、ジョイント復調およびデマッピングの一部として実行され得る。上記で説明したように、たとえば、ジョイント復調器／デマッパ１２６は、入力としてＬＥ変調ＩＱ値を取り、ＩＱ値を受信されたデータに変換するために、ジョイント復調／復号動作を実行することができる。たとえば、ジョイント復調器／デマッパ１２６は、受信されたビットのストリング（たとえば、１および／または０を含む２進数データのストリング）を決定するために、（たとえば、事前に割り振られた位相パターンおよび／または事前に割り振られたビットパターンに基づいて）仮説検定を実行し得る。
【００８６】
[0077]ダウンコンバータ７５４および逆正接モジュール７５８は、第１の段階と呼ばれることがある。第１の段階は、受信された信号７６８（たとえば、ＩＱ入力）を位相入力７６０に変換し得る。ダウンコンバータ７５４および逆正接モジュール７５８のうちの１つまたは複数は、受信機１２２および／またはジョイント復調器／デマッパ１２６内に含まれてよく、またはそれらと分離していてもよい。いくつかの構成では、たとえば、ダウンコンバータ７５４は、受信機１２２内に含まれ得る。他の構成では、ダウンコンバータ７５４および逆正接モジュール７５８は、ジョイント復調器／デマッパ１２６内に含まれ得る。
【００８７】
[0078]ダウンコンバータ７５４は、受信された信号７６８を取得し得る。受信された信号７６８は、ＩＱ波形であり得る。たとえば、受信された信号７６８は、３２ＭＨｚにおけるＩＱ波形であり得る。ダウンコンバータ７５４は、受信された信号７６８をダウンコンバートして、ダウンコンバートされた、受信された変調された信号７５６にすることができる。たとえば、ダウンコンバータ７５４は、受信機１２２によって実行される捕捉手順によって取得されたタイミング７５２を利用し得る。ダウンコンバートされ、受信され、変調された信号７５６は、受信された信号７６８より低い周波数におけるＩＱ波形であり得る。たとえば、ダウンコンバートされ、受信され、変調された信号７５６は、１ＭＨｚの周波数を有し得る。ダウンコンバートされ、受信され変調された信号７５６は、逆正接モジュール７５８に供給され得る。
【００８８】
[0079]逆正接モジュール７５８は、ダウンコンバートされ、受信され、変調された信号７５６を位相入力に変換し得る。たとえば、逆正接モジュール７５８は、ダウンコンバートされた、受信され、変調された信号７５６（たとえば、ＩＱ波形）について逆正接演算を実行して、位相入力７６０を得ることができる。位相入力７６０は、たとえば、１ＭＨｚの周波数を有し得る。
【００８９】
[0080]相関器７６２ａ〜ｂおよび比較器７６６は、第２の段階と呼ばれることがある。たとえば、ジョイント復調器／デマッパ１２６は、位相入力７６０を（たとえば、事前に割り振られたビットパターンに対応する）事前に割り振られた位相パターンと相関させ得る。
【００９０】
[0081]いくつかの構成では、第１の段階からの位相入力７６０は、相関器Ａ  ７６２ａおよび相関器Ｂ  ７６２ｂに入力され得る。相関器Ａ  ７６２ａは、相関Ａ  ７６４ａを作成するために、位相入力７６０を、２進数の０に対する事前に割り振られた位相パターンと相関させ得る。相関器Ｂ  ７６２ｂは、相関Ｂ  ７６４ｂを作成するために、位相入力７６０を、２進数の１に対する事前に割り振られた位相パターンと相関させ得る。いくつかの構成では、この相関を実行することは、レート情報（たとえば、事前に割り振られたビットパターンのサイズＮ）に基づき得る。たとえば、受信通信デバイス１１８は、パターンサイズＮを有する事前に割り振られたビットパターンに対応する事前に割り振られた位相パターンを利用し得る。相関７６２ａ〜ｂは、比較器７６６に供給され得る。
【００９１】
[0082]比較器７６６は、相関Ａ  ７６４ａと相関Ｂ  ７６４ｂとを比較することができる。たとえば、比較器７６６は、相関Ａ  ７６４ａが相関Ｂ  ７６４ｂより大きいかどうかを決定し得る。相関Ａ  ７６４ａが相関Ｂ  ７６４ｂより大きい場合、比較器７６６は、受信されたビット７２８として２進数の０を出力し得る。そうでない場合、比較器７６６は、受信されたビット７２８として２進数の１を出力し得る。したがって、図７に関して説明した構成要素は、受信されたビット７２８のストリングを作成し得る。
【００９２】
[0083]図８は、通信感度を改善するための方法８００のより具体的な構成を示すフローチャートである。方法８００は、送信通信デバイス１０２によって実行され得る。送信通信デバイス１０２は、ビット１０４のストリングを取得し得る８０２。これは、図１〜図２および図４〜図５のうちの１つまたは複数に関して上で説明したように実行され得る。
【００９３】
[0084]送信通信デバイス１０２は、レート情報を決定し得る８０４。たとえば、送信通信デバイス１０２は、事前に割り振られたビットパターンのサイズＮを決定し得る。いくつかの構成では、レート情報を決定すること８０４は、チャネル品質を検出することを含み得る。たとえば、送信通信デバイス１０２は、受信通信デバイス１１８からチャネル品質情報を受信し得る。たとえば、送信通信デバイス１０２は、信号強度、信号対雑音比（ＳＮＲ）、ビットエラー率（ＢＥＲ）および／または要求された再送信の数、あるいは受信通信デバイス１１８からのシグナリングに基づく何らかの他のメトリックを観察し得る。チャネル品質（たとえば、１つまたは複数のメトリック）がしきいの範囲の外にある場合、送信通信デバイス１０２は、事前に割り振られたビットパターンのサイズＮを調整することによってレートを増加または減少させ得る。たとえば、観察されたＢＥＲがしきい値を超える場合、送信通信デバイス１０２は、感度を高めるために事前に割り振られたビットパターンのサイズＮを増加させ得る（およびしたがって、たとえば、有効ビットレートを低下させ得る）。追加または代替として、観察されたＢＥＲがしきい値を下回る場合、送信通信デバイス１０２は、感度を下げるために事前に割り振られたビットパターンのサイズＮを減少させ得る（およびしたがって、たとえば、有効ビットレートを増加させ得る）。
【００９４】
[0085]いくつかの構成では、送信通信デバイス１０２は、レート情報（たとえば、事前に割り振られたビットパターンのサイズＮ）を受信通信デバイス１１８に、付加的に送ることができる。たとえば、送信通信デバイス１０２は、事前に割り振られたビットパターンのサイズＮを指定するインジケータを送ることができる。たとえば、送信通信デバイスは、２ビットを割り振られてよく、ここで、００はＮ＝８を示し、０１はＮ＝１６を示し、１０はＮ＝２４を示し、１１はＮ＝３２を示す。他の明示的または暗黙的方式が、利用されてもよい。
【００９５】
[0086]送信通信デバイス１０２は、連結された事前に割り振られたビットパターンのシリーズ１０８を作成するために、レート情報に基づいてビット１０４のストリング内の各ビットを事前に割り振られたビットパターンにマッピングし得る８０６。これは、図１〜図２および図４のうちの１つまたは複数に関して上で説明したように実行され得る。たとえば、送信通信デバイス１０２は、Ｎ＝８に対する式（４）〜（５）、Ｎ＝１６に対する式（６）〜（７）、Ｎ＝２４に対する式（８）〜（９）、およびＮ＝３２に対する式（１０）〜（１１）における事前に割り振られたビットパターンを利用し得る。
【００９６】
[0087]送信通信デバイス１０２は、シリーズ１０８に基づいて変調された信号１１２を生成し得る８０８。これは、図１〜図２、図４および図６のうちの１つまたは複数に関して上で説明したように実行され得る。
【００９７】
[0088]送信通信デバイス１０２は、変調された信号１１２を送信し得る８１０。これは、図１〜図２のうちの１つまたは複数に関して上で説明したように実行され得る。
【００９８】
[0089]図９は、通信感度を改善するための別のより具体的な方法９００を示すフローチャートである。方法９００は、受信通信デバイス１１８によって実行され得る。受信通信デバイス１１８は、受信され、変調された信号１２４を取得し得る９０２。これは、図１、図３〜図４および図７のうちの１つまたは複数に関して上で説明したように達成され得る。
【００９９】
[0090]受信通信デバイス１１８は、レート情報を取得し得る９０４。これは、図１、図３〜図４および図７のうちの１つまたは複数に関して上で説明したように達成され得る。たとえば、レート情報は、送信通信デバイス１０２から（たとえば、制御情報として）送られた情報内で受信され得る。代替として、レート情報は、副次的情報として受信され得る。他の構成では、受信通信デバイス１１８は、レート情報を暗黙的に決定し得る。たとえば、受信通信デバイスは、レート情報を決定するために、受信され、変調された信号（たとえば、受信され、変調された信号の性質）を検査し得る。
【０１００】
[0091]受信通信デバイス１１８は、レート情報に基づいて、受信され、変調された信号１２４の位相入力と事前に割り振られた位相パターンとを相関させ得る９０６。これは、図１、図３〜図４および図７のうちの１つまたは複数に関して上で説明したように達成され得る。たとえば、受信通信デバイス１１８は、相関９０６のために、パターンサイズＮを有する事前に割り振られたビットパターンに対応する事前に割り振られた位相パターンを利用し得る。
【０１０１】
[0092]受信通信デバイス１１８は、受信されたビット１２８のストリングを決定するために相関を比較し得る９０８。これは、図１、図３〜図４および図７のうちの１つまたは複数に関して上で説明したように実行され得る。
【０１０２】
[0093]図１０は、通信感度を改善するためのシステムおよび方法が実装され得る、ワイヤレス通信デバイス１０４９の別のより具体的な構成を示すブロック図である。図１０に示すワイヤレス通信デバイス１０４９は、図１〜図４および図７〜図９のうちの１つまたは複数に関して説明した送信通信デバイス１０２および受信通信デバイス１１８のうちの１つまたは複数の一例であり得る。ワイヤレス通信デバイス１０４９は、アプリケーションプロセッサ１０２１を含み得る。アプリケーションプロセッサ１０２１は、一般に、ワイヤレス通信デバイス１０４９で機能を実行するために命令を処理する（たとえば、プログラムを実行する）。アプリケーションプロセッサ１０２１は、オーディオコーダ／デコーダ（コーデック）１０１９に結合され得る。
【０１０３】
[0094]オーディオコーデック１０１９は、オーディオ信号をコーディングおよび／または復号するために使用され得る。オーディオコーデック１０１９は、少なくとも１つのスピーカ１０１１、イヤピース１０１３、出力ジャック１０１５、および／または少なくとも１つのマイクロフォン１０１７に結合され得る。スピーカ１０１１は、電気信号または電子信号を音響信号に変換する１つまたは複数の電気音響トランスデューサを含み得る。たとえば、スピーカ１０１１は、音楽を再生するため、またはスピーカフォンの会話を出力するためなどに使用され得る。イヤピース１０１３は、音響信号（たとえば、音声信号）をユーザに出力するために使用され得る別のスピーカまたは電気音響トランスデューサであり得る。たとえば、イヤピース１０１３は、ユーザのみが音響信号を確実に聴取できるように使用され得る。出力ジャック１０１５は、オーディオを出力するために、ワイヤレス通信デバイス１０４９にヘッドフォンなどの他のデバイスを結合するために使用され得る。スピーカ１０１１、イヤピース１０１３および／または出力ジャック１０１５は、一般に、オーディオコーデック１０１９からオーディオ信号を出力するために使用され得る。少なくとも１つのマイクロフォン１０１７は、音響信号（ユーザの音声など）を、オーディオコーデック１０１９に提供される電気信号または電子信号に変換する音響電気トランスデューサであり得る。
【０１０４】
[0095]アプリケーションプロセッサ１０２１は、また、電力管理回路１０９４に結合され得る。電力管理回路１０９４の一例は、ワイヤレス通信デバイス１０４９の電力消費を管理するために使用され得る電力管理集積回路（ＰＭＩＣ）である。電力管理回路１０９４は、バッテリー１０９６に結合され得る。バッテリー１０９６は、一般に、ワイヤレス通信デバイス１０４９に電力を供給し得る。たとえば、バッテリー１０９６および／または電力管理回路１０９４は、ワイヤレス通信デバイス１０４９内に含まれる要素のうちの少なくとも１つに結合され得る。
【０１０５】
[0096]アプリケーションプロセッサ１０２１は、入力を受信するための少なくとも１つの入力デバイス１０９８に結合され得る。入力デバイス１０９８の例は、赤外線センサ、画像センサ、加速度計、タッチセンサ、キーパッドなどを含む。入力デバイス１０９８は、ワイヤレス通信デバイス１０４９とのユーザ対話を可能にし得る。アプリケーションプロセッサ１０２１はまた、１つまたは複数の出力デバイス１００１に結合され得る。出力デバイス１００１の例は、プリンタ、プロジェクタ、スクリーン、触覚デバイスなどを含む。出力デバイス１００１は、ワイヤレス通信デバイス１０４９が、ユーザにより受けられ得る出力を生成することを可能にし得る。
【０１０６】
[0097]アプリケーションプロセッサ１０２１は、アプリケーションメモリ１００３に結合され得る。アプリケーションメモリ１００３は、電子情報を記憶することが可能な任意の電子デバイスであり得る。アプリケーションメモリ１００３の例は、ダブルデータレートシンクロナスダイナミックランダムアクセスメモリ（ＤＤＲ  ＳＤＲＡＭ）、シンクロナスダイナミックランダムアクセスメモリ（ＳＤＲＡＭ）、フラッシュメモリなどを含む。アプリケーションメモリ１００３は、アプリケーションプロセッサ１０２１のための記憶装置を提供し得る。たとえば、アプリケーションメモリ１００３は、アプリケーションプロセッサ１０２１上で実行されるプログラムの機能のためのデータおよび／または命令を記憶し得る。
【０１０７】
[0098]アプリケーションプロセッサ１０２１はディスプレイコントローラ１００５に結合され得、次いでディスプレイコントローラ１００５はディスプレイ１００７に結合され得る。ディスプレイコントローラ１００５は、ディスプレイ１００７上に画像を生成するために使用されるハードウェアブロックであり得る。たとえば、ディスプレイコントローラ１００５は、アプリケーションプロセッサ１０２１からの命令および／またはデータを、ディスプレイ１００７上に提示され得る画像に変換し得る。ディスプレイ１００７の例は、液晶ディスプレイ（ＬＣＤ）パネル、発光ダイオード（ＬＥＤ）パネル、陰極線管（ＣＲＴ）ディスプレイ、プラズマディスプレイなどを含む。
【０１０８】
[0099]アプリケーションプロセッサ１０２１は、ベースバンドプロセッサ１０２３に結合され得る。ベースバンドプロセッサ１０２３は一般に、通信信号を処理する。たとえば、ベースバンドプロセッサ１０２３は、受信された信号を復調および／または復号し得る。追加または代替として、ベースバンドプロセッサ１０２３は、送信に備えて信号を符号化および／または変調し得る。
【０１０９】
[00100]ベースバンドプロセッサ１０２３は、パターンマッパ１００６および／またはジョイント復調器／デマッパ１０２６を含み得る。パターンマッパ１００６は、上記で説明したパターンマッパ１０６、４０６のうちの１つまたは複数の例であり得る。追加または代替として、ジョイント復調器／デマッパ１０２６は、上記で説明したジョイント復調器／デマッパ１２６、４２６のうちの１つまたは複数の例であり得る。
【０１１０】
[00101]ベースバンドプロセッサ１０２３は、ベースバンドメモリ１００９に結合され得る。ベースバンドメモリ１００９は、ＳＤＲＡＭ、ＤＤＲＡＭ、フラッシュメモリなどの、電子情報を記憶することが可能な任意の電子デバイスであり得る。ベースバンドプロセッサ１０２３は、ベースバンドメモリ１００９から情報（たとえば、命令および／またはデータ）を読み取り得、および／または、ベースバンドメモリ１００９に情報を書き込み得る。追加または代替として、ベースバンドプロセッサ１０２３は、通信動作を実行するために、ベースバンドメモリ１００９に記憶された命令および／またはデータを使用し得る。
【０１１１】
[00102]ベースバンドプロセッサ１０２３は、無線周波数（ＲＦ）トランシーバ１０２５に結合され得る。ＲＦトランシーバ１０２５は、電力増幅器１０２７および１つまたは複数のアンテナ１０２９に結合され得る。ＲＦトランシーバ１０２５は、無線周波数信号を送信および／または受信し得る。たとえば、ＲＦトランシーバ１０２５は、電力増幅器１０２７と少なくとも１つのアンテナ１０２９とを使用してＲＦ信号を送信し得る。ＲＦトランシーバ１０２５は、また、１つまたは複数のアンテナ１０２９を使用してＲＦ信号を受信し得る。
【０１１２】
[00103]図１１は、ワイヤレス通信デバイス１１４９内に含まれ得るいくつかの構成要素を示している。図１１に関して説明したワイヤレス通信デバイス１１４９は、図１〜図４および図７〜図１０のうちの１つまたは複数に関して説明した送信通信デバイス１０２、受信通信デバイス１１８、およびワイヤレス通信デバイス１０４９のうちの１つまたは複数の一例であり得、ならびに／あるいはそれらに従って実装され得る。
【０１１３】
[00104]ワイヤレス通信デバイス１１４９はプロセッサ１１４７を含む。プロセッサ１１４７は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１１４７は、中央処理ユニット（ＣＰＵ）と呼ばれ得る。図１１のワイヤレス通信デバイス１１４９中に単一のプロセッサ１１４７のみが示されているが、代替構成では、プロセッサの組合せ（たとえば、ＡＲＭとＤＳＰ）が使用され得る。
【０１１４】
[00105]ワイヤレス通信デバイス１１４９はまた、プロセッサ１１４７と電子通信しているメモリ１１３１を含む（すなわち、プロセッサ１１４７は、メモリ１１３１から情報を読み取り、および／またはメモリ１１３１に情報を書き込むことができる）。メモリ１１３１は、電子情報を記憶することが可能な任意の電子的構成要素であり得る。メモリ１１３１は、ランダムアクセスメモリ（ＲＡＭ）、読取り専用メモリ（ＲＯＭ）、磁気ディスク記憶媒体、光記憶媒体、ＲＡＭ内のフラッシュメモリデバイス、プロセッサとともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ（登録商標））、レジスタなど、およびそれらの組合せであり得る。
【０１１５】
[00106]データ１１３３および命令１１３５はメモリ１１３１に記憶され得る。命令１１３５は、１つまたは複数のプログラム、ルーチン、サブルーチン、関数、プロシージャ、コードなどを含み得る。命令１１３５は、単一のコンピュータ可読ステートメントまたは多くのコンピュータ可読ステートメントを含み得る。命令１１３５は、上記で説明した方法２００、３００、８００、９００のうちの１つまたは複数、および／または図１〜図１０に関して説明した機能のうちの１つまたは複数を実装するために、プロセッサ１１４７によって実行可能であり得る。命令１１３５を実行することは、メモリ１１３１に記憶されたデータ１１３３の使用を伴い得る。図１１は、プロセッサ１１４７にロードされているいくつかの命令１１３５ａとデータ１１３３ａとを示している。
【０１１６】
[00107]ワイヤレス通信デバイス１１４９はまた、ワイヤレス通信デバイス１１４９とリモートロケーション（たとえば、基地局）との間の信号の送信および受信を可能にするための送信機１１４３と受信機１１４５とを含み得る。送信機１１４３および受信機１１４５はトランシーバ１１４１と総称され得る。アンテナ１１３９は、トランシーバ１１４１に電気的に結合され得る。ワイヤレス通信デバイス１１４９はまた、複数の送信機、複数の受信機、複数のトランシーバおよび／または複数のアンテナを含み得る（図示せず）。
【０１１７】
[00108]ワイヤレス通信デバイス１１４９の様々な構成要素は、電力バス、制御信号バス、ステータス信号バス、データバスなどを含み得る、１つまたは複数のバスによって互いに結合され得る。簡単のために、図１１では様々なバスはバスシステム１１３７として示されている。
【０１１８】
[00109]上記の説明では、様々な用語とともに参照番号が時々使用された。用語が参照番号とともに使用されている場合、これは、図の１つまたは複数に示された特定の要素を指すことが意図され得る。用語が参照番号なしに使用されている場合、これは、概して特定の図に限定されない用語を指すことが意図され得る。
【０１１９】
[00110]「決定」という用語は、多種多様なアクションを包含し、したがって、「決定」は、計算（calculating）、計算（computing）、処理、導出、調査、ルックアップ（たとえば、テーブル、データベースまたは別のデータ構造でのルックアップ）、確認などを含むことができる。また、「決定すること」は、受け取ること（たとえば、情報を受け取ること）、アクセスすること（たとえば、メモリ内のデータにアクセスすること）などを含むことができる。また、「決定すること」は、解決すること、選択すること、選ぶこと、確立することなどを含み得る。
【０１２０】
[00111]「〜に基づく」という句は、そうではないと特に指定されない限り、「〜だけに基づく」を意味しない。言い換えると、「〜に基づく」という句は、「〜だけに基づく」と「少なくとも〜に基づく」との両方を説明するものである。
【０１２１】
[00112]本明細書で説明した構成のうちのいずれか１つに関して説明した特徴、機能、手順、構成要素、要素、構造などのうちの１つまたは複数は、互換性がある、本明細書で説明した他の構成のうちのいずれかに関して説明した機能、手順、構成要素、要素、構造などのうちの１つまたは複数と組み合わせられ得ることに留意されたい。言い換えれば、本明細書で説明された機能と、手順と、構成要素と、要素などの何らかの互換性のある組合せは、本明細書で開示されたシステムおよび方法に従って実装され得る。
【０１２２】
[00113]本明細書で説明された機能は、１つまたは複数の命令として、プロセッサ可読媒体またはコンピュータ可読媒体に記憶され得る。「コンピュータ可読媒体」という用語は、コンピュータまたはプロセッサによってアクセスされ得る任意の利用可能な媒体を指す。限定ではなく、例として、そのような媒体は、ランダムアクセスメモリ（ＲＡＭ）、読取り専用メモリ（ＲＯＭ）、電子的消去可能プログラマブル読取り専用メモリ（ＥＥＰＲＯＭ）、フラッシュメモリ、コンパクトディスク読取り専用メモリ（ＣＤ−ＲＯＭ）または他の光ディスクストレージ、磁気ディスクストレージまたは他の磁気ストレージデバイス、あるいは命令またはデータ構造の形態の所望のプログラムコードを記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わされたコンピューティングデバイスまたはプロセッサを指す。本明細書で使用されるように、「コード」という用語は、コンピューティングデバイスまたはプロセッサによって実行可能であるソフトウェア、命令、コードまたはデータを指すことがある。
【０１２３】
[00114]ソフトウェアまたは命令は、また、伝送媒体を介して送信され得る。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１２４】
[00115]本明細書で開示する方法は、説明する方法を達成するための１つまたは複数のステップまたはアクションを備える。本方法のステップおよび／またはアクションは、特許請求の範囲を逸脱することなく互いに交換され得る。言い換えれば、説明した方法の適切な動作のためにステップまたはアクションの特定の順序が必要とされない限り、特定のステップおよび／またはアクションの順序および／または使用は、特許請求の範囲を逸脱することなく修正され得る。
【０１２５】
[00116]特許請求の範囲が上記に示した正確な構成と構成要素に制限されないことが理解されるべきである。特許請求の範囲を逸脱することなく、本明細書で説明されたシステム、方法、および装置の構成、動作、および詳細において、様々な修正、変更、および変形が行われ得る。
【図１】
2018014730.tif 000014
【図２】
2018014730.tif 000015
【図３】
2018014730.tif 000016
【図４】
2018014730.tif 000017
【図５】
2018014730.tif 000018
【図６】
2018014730.tif 000019
【図７】
2018014730.tif 000020
【図８】
2018014730.tif 000021
【図９】
2018014730.tif 000022
【図１０】
2018014730.tif 000023
【図１１】
2018014730.tif 000024
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
ワイヤレス通信デバイスによる通信感度を改善するための方法であって、
ビットのストリングを取得することと、
連結された事前に割り振られたビットパターンのシリーズを作成するために、前記ビットのストリング内の各ビットを事前に割り振られたビットパターンにマッピングすることと、
前記シリーズに基づいて変調された信号を生成することと、
前記変調された信号を送信することと
を備える、方法。
【手続補正２】
【補正対象書類名】明細書
【補正対象項目名】０１２５
【補正方法】変更
【補正の内容】
【０１２５】
[00116]特許請求の範囲が上記に示した正確な構成と構成要素に制限されないことが理解されるべきである。特許請求の範囲を逸脱することなく、本明細書で説明されたシステム、方法、および装置の構成、動作、および詳細において、様々な修正、変更、および変形が行われ得る。
以下に、本願出願の当初の特許請求の範囲に記載された発明を付記する。
［Ｃ１］
ワイヤレス通信デバイスによる通信感度を改善するための方法であって、
ビットのストリングを取得することと、
連結された事前に割り振られたビットパターンのシリーズを作成するために、前記ビットのストリング内の各ビットを事前に割り振られたビットパターンにマッピングすることと、
前記シリーズに基づいて変調された信号を生成することと、
前記変調された信号を送信することと
を備える、方法。
［Ｃ２］
事前に割り振られたビットパターンの各々は、マスターパターンの１回または複数回の反復を備える、
［Ｃ１］に記載の方法。
［Ｃ３］
前記マスターパターンは、円形に閉じた位相パターンを作成する、
［Ｃ２］に記載の方法。
［Ｃ４］
前記マスターパターンは、第１のビット値に対して｛−１，１，１，１，−１，−１，−１，１｝を備える、
［Ｃ２］に記載の方法。
［Ｃ５］
前記マスターパターンは、第２のビット値に対して｛１，１，１，１，−１，−１，−１，−１｝を備える、
［Ｃ２］に記載の方法。
［Ｃ６］
第１の得られた位相パターンと第２の得られた位相パターンとの間のユークリッド距離は、最大化される、
［Ｃ１］に記載の方法。
［Ｃ７］
前記変調された信号を生成することは、定包絡線変調に基づく、
［Ｃ１］に記載の方法。
［Ｃ８］
通信感度を改善するための装置であって、
連結された事前に割り振られたビットパターンのシリーズを作成するために、ビットのストリング内の各ビットを事前に割り振られたビットパターンにマッピングするように構成されたパターンマッパと、
前記シリーズに基づいて変調された信号を生成するように構成された変調器と、
前記変調された信号を送信するように構成された送信機と
を備える、装置。
［Ｃ９］
事前に割り振られたビットパターンの各々は、マスターパターンの１回または複数回の反復を備える、
［Ｃ８］に記載の装置。
［Ｃ１０］
前記マスターパターンは、円形に閉じた位相パターンを作成する、
［Ｃ９］に記載の装置。
［Ｃ１１］
前記マスターパターンは、第１のビット値に対して｛−１，１，１，１，−１，−１，−１，１｝を備える、
［Ｃ９］に記載の装置。
［Ｃ１２］
前記マスターパターンは、第２のビット値に対して｛１，１，１，１，−１，−１，−１，−１｝を備える、
［Ｃ９］に記載の装置。
［Ｃ１３］
第１の得られた位相パターンと第２の得られた位相パターンとの間のユークリッド距離が最大化される、
［Ｃ８］に記載の装置。
［Ｃ１４］
前記変調された信号を生成することが定包絡線変調に基づく、
［Ｃ８］に記載の装置。
［Ｃ１５］
通信感度を改善するための装置であって、
連結された事前に割り振られたビットパターンのストリングを作成するために、ビットのストリング内の各ビットを事前に割り振られたビットパターンにマッピングするための手段と、
前記シリーズに基づいて変調された信号を生成するための手段と、
前記変調された信号を送信するための手段と
を備える、装置。
［Ｃ１６］
事前に割り振られたビットパターンの各々は、マスターパターンの１回または複数回の反復を備える、
［Ｃ１５］に記載の装置。
［Ｃ１７］
前記マスターパターンは、円形に閉じた位相パターンを作成する、
［Ｃ１６］に記載の装置。
［Ｃ１８］
前記マスターパターンは、第１のビット値に対して｛−１，１，１，１，−１，−１，−１，１｝を備える、
［Ｃ１６］に記載の装置。
［Ｃ１９］
前記マスターパターンは、第２のビット値に対して｛１，１，１，１，−１，−１，−１，−１｝を備える、
［Ｃ１６］に記載の装置。
［Ｃ２０］
第１の得られた位相パターンと第２の得られた位相パターンとの間のユークリッド距離は、最大化される、
［Ｃ１５］に記載の装置。
［Ｃ２１］
前記変調された信号を生成することは、定包絡線変調に基づく、
［Ｃ１５］に記載の装置。
［Ｃ２２］
命令を有する非一時的有形コンピュータ可読媒体を備える、通信感度を改善するためのコンピュータプログラム製品であって、前記命令は、
ビットのストリングをワイヤレス通信デバイスに取得させるためのコードと、
連結された事前に割り振られたビットパターンのシリーズを作成するために、前記ビットのストリング内の各ビットを事前に割り振られたビットパターンにマッピングすることを前記ワイヤレス通信デバイスに行わせるためのコードと、
前記シリーズに基づいて変調された前記ワイヤレス通信デバイスに生成させるためのコードと、
前記変調された信号を送信することをワイヤレス通信デバイスに行わせるためのコードと
を備える、コンピュータプログラム製品。
［Ｃ２３］
事前に割り振られたビットパターンの各々は、マスターパターンの１回または複数回の反復を備える、
［Ｃ２２］に記載のコンピュータプログラム製品。
［Ｃ２４］
前記マスターパターンは、円形に閉じた位相パターンを作成する、
［Ｃ２３］に記載のコンピュータプログラム製品。
［Ｃ２５］
前記マスターパターンは、第１のビット値に対して｛−１，１，１，１，−１，−１，−１，１｝を備える、
［Ｃ２３］に記載のコンピュータプログラム製品。
［Ｃ２６］
前記マスターパターンは、第２のビット値に対して｛１，１，１，１，−１，−１，−１，−１｝を備える、
［Ｃ２３］に記載のコンピュータプログラム製品。
［Ｃ２７］
第１の得られた位相パターンと第２の得られた位相パターンとの間のユークリッド距離は、最大化される、
［Ｃ２２］に記載のコンピュータプログラム製品。
［Ｃ２８］
前記変調された信号を生成することは、定包絡線変調に基づく、
［Ｃ２２］に記載のコンピュータプログラム製品。
【外国語明細書】
2018014730000001.pdf